(57)【要約】【課題】不正器具をメダル投入口に挿入してメダル検知装置を誤動作させる不正行為を防止する。【解決手段】メダル検知部７３は、投光器５０からの投射光を反射板５１で反射してその反射光を受光器５３で受光し、反射板５１と受光器５３との光路上でメダル３１の通過を検知する。反射板５１は、メダル通路を横切る方向に移動自在に取り付けられている。受光器５３は、メダル通路の高さ方向に移動自在に取り付けられている。移動機構は、反射板５１を移動することに連動して、移動後の反射板５１からの反射光を受光する位置に受光部５３を移動させ、メダルの通過を検知する範囲をメダル通路の高さ方向にずらす。【選択図】 図１０
2010220721.tif 000002
【特許請求の範囲】
【請求項１】
投射光を一方向に投射する投光手段と、前記投射光を反射する反射板と、前記反射光を受光する受光手段と、を有し、前記投光手段と反射板との間、又は前記反射板と受光手段との間を通過するメダルを検知するメダル検知装置において、
該メダル検知装置のメダル検知範囲を所定方向にずらす検知範囲変更手段を備えたことを特徴とするメダル検知装置。
【請求項２】
前記検知範囲変更手段は、前記反射板を移動させる手段となっていることを特徴とする請求項１記載のメダル検知装置。
【請求項３】
前記反射板と受光手段との間を通過するメダルを検知するメダル検知装置であって、
前記検知範囲変更手段は、前記反射板を前記一方向に移動させる第１移動手段と、前記移動後の反射板からの反射光を受光する位置に前記受光手段を移動させる第２移動手段と、で構成されていることを特徴とする請求項１記載のメダル検知装置。
【請求項４】
前記投光手段と反射板との間を通過するメダルを検知するメダル検知装置であって、
前記検知範囲変更手段は、前記反射板を前記一方向に移動させる第１移動手段と、前記移動後の反射板からの反射光が前記受光手段で受光するように前記投光手段を移動させる第２移動手段と、で構成されていることを特徴とする請求項１記載のメダル検知装置。
【請求項５】
前記反射板と受光手段との間を通過するメダルを検知するメダル検知装置であって、
前記検知範囲変更手段は、前記反射板を前記一方向に移動させる第１移動手段となっており、
前記受光手段は、前記移動前の反射板からの反射光を受光する位置に配される第１受光器と、前記移動後の反射板からの反射光を受光する位置に配される第２受光器と、で構成されていることを特徴とする請求項１記載のメダル検知装置。
【請求項６】
前記投光手段と反射板との間を通過するメダルを検知するメダル検知装置であって、
前記検知範囲変更手段は、前記反射板を前記一方向に移動させる第１移動手段となっており、
前記投光手段は、前記移動前の反射板からの反射光が前記受光手段で受光する位置に配される第１投光器と、前記移動後の反射板からの反射光が前記受光手段で受光する位置に配される第２投光器と、から構成されていることを特徴とする請求項１記載のメダル検知装置。
【発明の詳細な説明】
【技術分野】
【０００１】
本発明は、スロットマシン等の遊技機に用いられるメダルの通過を検知するメダル検知装置に関し、更に詳しくは、移動可能な反射板を備えたメダル検知装置に関する。
【背景技術】
【０００２】
従来、投光器から投射する光を反射板で受光器に向けて反射し、その反射光でメダルを検知する投入メダル選抜装置が知られている（特許文献１）。この装置は、投光器に内蔵する投光素子を所定周期で点灯させるパルス点灯させ、受光器に内蔵する受光素子で投光タイミングに同期して受光することでメダルの真正通過を判定するようにしている。
【先行技術文献】
【特許文献】
【０００３】
【特許文献１】特開２００６−５５１８１号公報
【発明の概要】
【発明が解決しようとする課題】
【０００４】
しかしながら、近年、不正用投光器と受光器とをＬ字型の板の先端に固定した新たな不正器具を使用する不正行為が問題になっている。不正器具は、メダル選抜装置の投光器からの投射光を不正用受光器で受け、この光と同等パルスの光を不正用投光器からメダル選別装置の受光素子に投射することでメダルが真正に通過している状態になりすます器具である。
【０００５】
本発明は、前述した問題点を解決するためになされたものであり、不正用受光器で受けた光と同等パルスの光を不正用投光器から投射する不正器具を使う不正行為を防止することができるメダル検知装置を提供することを目的としている。
【課題を解決するための手段】
【０００６】
上記の目的を達成するために、本発明のメダル検知装置では、投射光を一方向に投射する投光手段と、前記投射光を反射する反射板と、前記反射光を受光する受光手段と、を有し、前記投光手段と反射板との間、又は前記反射板と受光手段との間を通過するメダルを検知するメダル検知装置において、該メダル検知装置のメダル検知範囲を所定方向にずらす検知範囲変更手段を備えたものである。
【０００７】
前記所定方向としては、メダル通路の高さ方向、メダルの通過方向等、メダルを検知することが可能範囲内であればいずれの方向でもよい。前記検知範囲変更手段としては、前記反射板を移動させる手段であってよい。この場合の受光手段としては、移動後の反射板からの反射光を受光可能な位置に単一の受光器を移動させてもよいし、移動前の反射板からの反射光を受光可能な位置に複数の受光器をそれぞれ配してもよい。また、大きな受光面をもつ受光器を用いて、受光面のうちの受光する範囲を択一的に選択することが可能な単一の受光器を用いてもよい。
【０００８】
例えば、反射板と受光手段との間を通過するメダルを検知するメダル検知装置の場合には、前記検知範囲変更手段としては、前記反射板を前記一方向に移動させる第１移動手段と、前記移動後の反射板からの反射光を受光する位置に前記受光手段を移動させる第２移動手段と、で構成したものでもよい。
【０００９】
また、投光手段と反射板との間を通過するメダルを検知するメダル検知装置の場合には、前記検知範囲変更手段としては、前記反射板を前記一方向に移動させる第１移動手段と、前記移動後の反射板からの反射光が前記受光手段で受光するように前記投光手段を移動させる第２移動手段と、で構成してもよい。
【００１０】
反射板と受光手段との間を通過するメダルを検知するメダル検知装置の場合には、前記検知範囲変更手段としては、前記反射板を前記一方向に移動させる第１移動手段とし、  前記受光手段としては、前記移動前の反射板からの反射光を受光する位置に配される第１受光器と、前記移動後の反射板からの反射光を受光する位置に配される第２受光器と、で構成したものでもよい。
【００１１】
さらに、前記投光手段と反射板との間を通過するメダルを検知するメダル検知装置の場合には、前記検知範囲変更手段は、前記反射板を前記一方向に移動させる第１移動手段とし、前記投光手段としては、前記移動前の反射板からの反射光が前記受光手段で受光する位置に配される第１投光器と、前記移動後の反射板からの反射光が前記受光手段で受光する位置に配される第２投光器と、から構成したものでもよい。
【発明の効果】
【００１２】
本発明のメダル検知装置では、メダル検知範囲を所定方向にずらす検知範囲変更手段を備えたから、メダル検知範囲を切り換えることで、不正行為を確実に防止することができる。
【図面の簡単な説明】
【００１３】
【図１】本発明を採用したスロットマシンを示す斜視図である。
【図２】図１で説明したスロットマシンの下扉を開いた状態を示す斜視図である。
【図３】メダルセレクターの要部を示す説明図である。
【図４】メダル検知部を示す斜視図である。
【図５】下降位置にある第１メダルセンサを示す断面図である。
【図６】第２メダルセンサを示す断面図である。
【図７】上昇位置にある第１メダルセンサを示す断面図である。
【図８】メダル検知部の電気的概略を示すブロック図である。
【図９】第１メダルセンサの反射板と受光器、及び第２メダルセンサの反射板と投光器をそれぞれ移動させるように構成した他の実施形態のメダル検知部を示す斜視図である。
【図１０】図９で説明した第１メダルセンサを示す断面図であり、下降位置の状態を示している。
【図１１】図９で説明した第１メダルセンサを示す断面図であり、上昇位置の状態を示している。
【図１２】図９で説明した反射ユニットと移動ユニットとを連動して移動させる移動機構を示す斜視図である。
【図１３】第１メダルセンサ受光器、及び第２メダルセンサの投光器を反射板の反射面と平行に移動させるように構成した別の実施形態のメダル検知部を示す断面図であり、下降位置の状態を示している。
【図１４】図１３で説明した第１メダルセンサを示す断面図であり、斜め上昇位置の状態を示している。
【図１５】第１メダルセンサの受光器を２つ設け、反射板のみをスライド移動させるように構成した他の実施形態を示す断面図であり、反射ユニットが突出位置の状態を示している。
【図１６】第１メダルセンサの受光器を２つ設け、反射板のみを回転させるように構成した他の実施形態を示す断面図である。
【発明を実施するための形態】
【００１４】
本発明を採用したスロットマシン１０は、図１に示すように、前面扉１１と収納箱１２とからなる筐体１３を備えている。前面扉１１は、上扉１１ａと下扉１１ｂとから構成されている。上扉１１ａには表示窓１４が設けられている。表示窓１４の奥には、第１〜第３リール１５ａ〜１５ｃが回転自在に組み込まれている。
【００１５】
下扉１１ｂの外部には、メダル投入口１６、スタートレバー１７、ストップボタン１８ａ〜１８ｃ、メダル払出し口１９、及びメダル受け皿２０等が設けられている。メダル投入口１６には、メダルが１枚ずつ投入される。スタートレバー１７は、第１〜第３リール１５ａ〜１５ｃの回転を開始させる。ストップボタン１８は、回転する第１〜第３リール１５ａ〜１５ｃを停止させるボタンである。メダル払出し口１９は、遊技を行って当選役が入賞した場合にメダルの払い出しを行うための排出口である。メダル受け皿２０は、払い出されたメダルを貯留する。
【００１６】
第１〜第３リール１５ａ〜１５ｃの外周には、複数種類の図柄が一定ピッチで配列され、第１〜第３リール１５ａ〜１５ｃが停止した状態では、表示窓１４を通して１リール当たり３個の図柄が観察可能となる。これにより、各リールの図柄を１個ずつ組み合わせた直線状の入賞有効ラインが横３本、斜め２本の合計５本が設定される。遊技開始に先立ってメダル投入口１６から１枚のメダルを投入したときには、中央横１本の入賞有効ラインが有効化され、２枚では横３本、３枚ではさらに斜め２本を加えた５本の入賞有効ラインが有効化される。
【００１７】
図２に示すように、下扉１１ｂの背面でメダル投入口１６の下方には、メダルセレクター２２、払出しシュート２３が配されている。メダルセレクター２２は、メダル投入口１６から投入されたメダルを選別する。払出しシュート２３は、メダルセレクター２２からメダル払出し口１９にメダルをガイドする。また、収納箱１２内の下方にはホッパー装置２４が設けられている。
【００１８】
ホッパー装置２４は、メダル投入口１６から投入されたメダルを貯留タンク２５に貯留し、遊技を行ってメダルの払い出しを伴う当選役が入賞した場合に、貯留タンク２５からメダル出口２６を介してメダル払出し口１９に、当選役の種類に応じた枚数のメダルを払い出す。
【００１９】
メダルセレクター２２は、図３に示すように、案内通路２８、振り分け機構２９、及びメダル検出機構３０を備えている。案内通路２８は、メダル投入口１６から投入されたメダルを貯留タンク２５に案内する。振り分け機構２９は、貯留タンク２５に貯留させるメダルを選別する。メダル検出機構３０は、メダルが通過したことを検出してメダルを計数する。
【００２０】
案内通路２８は、メダル投入口１６から投入されるメダルを略鉛直方向（図中矢印Ａに示す方向）に案内する垂直通路２８ａと、その後に略水平方向（図中矢印Ｂに示す方向）に案内する傾斜通路２８ｂとを組み合わせた略Ｌ字状をしている。傾斜通路２８ｂを通過したメダル３１は、メダル出口３２から貯留タンク２５に案内される。傾斜通路２８ｂは、貯留タンク２５に向けてメダルを転動させる向きに傾斜している。
【００２１】
振り分け機構２９は、傾斜通路２８ｂに設けられており、メダル３１の外径が真正か否かを検査する。メダル３１が正規の外径の場合は、メダル３１の通過を許容し、メダル３１が正規の外径でない場合には、前面扉１１の前面側から背面側に向かう方向（図中矢印Ｃに示す方向）に落下させる。落下したメダル３１は、図２で説明した払出しシュート２３内に入って、メダル払出し口１９からメダル受け皿２０に払い出される。
【００２２】
メダル検出機構３０は、メダル検知部（本発明のメダル検知装置）３３、判定部３４、及び計数部３５等で構成されている。メダル検知部３３は、振り分け機構２９の下流に設けられており、２つのメダルセンサ３６，３７を備えている。２つのメダルセンサ３６，３７は、メダル３１の通過方向にずれた二箇所の位置でメダル３１の通過を各々検知して各検知信号を判定部３４に送る。判定部３４は、各検知信号に基づいてメダル３１の通過の正否を判断し、判定信号を計数部３５に送る。計数部３５は、スロットマシン１０を統括的に制御する制御部３８に設けられており、判定部３４が真正通過と判断した場合のみメダル３１を計数する。
【００２３】
メダル検知部３３は、図４に示すように、２つのメダルセンサ３６，３７をハウジング３９に組み込んで一体的に取り扱うことができるユニット部品になっている。２つのメダルセンサ３６，３７は、メダルの通過方向の下流側から順に第１、及び第２メダルセンサとなっている。
【００２４】
メダル検知部３３は、傾斜通路２８ｂをメダルが通過する方向（以下「メダル通過方向」と称す）に対して略直交する、傾斜通路２８ｂの高さ方向（以下、「高さ方向」と称す）に移動自在となるように傾斜通路２８ｂに取り付けられている。傾斜通路２８ｂは、メダルの一側面をガイドする側壁４０と、メダルの底をガイドする底壁４１とで構成されている略Ｌ字状の断面になっている。側壁４０には、一部をくりぬいた凹部４２が形成されている。凹部４２には、メダルの通過方向に沿う両内壁に、高さ方向に沿って形成した一対の垂直溝４３，４４が形成されている。メダル検知部３３のハウジング３９には、メダルの通過方向に沿う両外壁に一対の突条部４５，４６が形成されており、一対の突条部４５，４６が一対の垂直溝４３，４４に係合することでメダル検知部３３は、高さ方向に移動自在にガイドされる。
【００２５】
図５に示すように、凹部４２の下には、電磁ソレノイド４７が設けられている。電磁ソレノイド４７は、凹部４２の底面から露出する突出位置と凹部４２から底面内に退避する退避位置との間でロッド４８が移動する。ロッド４８が突出位置に移動するとメダル検知部３３が上昇位置に移動し、退避位置に移動することで自重によりメダル検出部３３が下降位置に移動する。メダル検知部３３が移動することでメダル検知範囲が高さ方向でずれることになる。
【００２６】
メダルセンサ３６，３７は、投光器、反射板、及び受光器との組で構成されている。第１メダルセンサ３６の投光器５０は、ハウジング３９の上部に固定されており、反射板５１は、ハウジング３９からメダル通過領域の上方を跨ぐように左方に向けて突出したアーム５２の内部に固定され、そして、受光器５３は、ハウジング３９の下方（投光器５０の下方）に固定されている。投光器５０は、傾斜通路２８ｂの上方を横切る方向（一方向）に光を投射し、反射板５１は、その投射光を受光器５３に向けて反射させ、受光器５３はその反射光を受光する。第１メダルセンサ３６のメダル検知範囲は、反射板５１と受光器５３との間になっている。なお、投光器５０と受光器５３との前には、隣接する第２メダルセンサ３７からの光が入射しないように、スリット５４，５５がそれぞれ形成されている。また、反射板５１としては、ミラー、アルミ板、及びプリズム等を用いることができる。
【００２７】
第２メダルセンサ３７の投光器５６は、図６に示すように、ハウジング３９内の下部に固定されており、また、反射板５７は第１メダルセンサ３６の反射板５１と同じにアーム５２の内部に固定され、さらに受光器５８はハウジング３９の上方（投光器５６の上方）に固定されている。反射板５７は、投光器５６から一方向に投射される光を受光器５８に向けて反射させ、受光器５８はその反射光を受光する。第２メダルセンサ３７のメダル検知範囲は、投光器５６と反射板５７との間になっている。第２メダルセンサ３７のメダル検知範囲は、高さ方向において第１メダルセンサ３６のメダル検知範囲と同じ高さ位置になっている。なお、投光器５６と受光器５８との前には、隣接する第１メダルセンサ３６からの光が入射しないように、スリット５９，６０がそれぞれ形成されている。第１、及び第２メダルセンサ３６，３７の投光器５０，５６には、例えば赤外線発光ダイオードよりなる発光素子が、また受光器５３，５８には、例えばフォトトランジスタよりなる受光素子が、それぞれ用いられている。
【００２８】
制御部３８は、図７に示すように、契機信号を受け取ることでドライバ６１を介して電磁ソレノイド４７を駆動する。契機信号は、所定の契機のときに送られてくる。所定の契機としては、予め決められた日時、予め決めたコインの投入枚数、予め決めたコインの払出し枚数、予め決めた当選役が入賞したとき、外部に露呈して設けた操作部で操作が行われたとき、等の契機であってよい。
【００２９】
制御部３８は、このような契機に応じて電磁ソレノイド４７を駆動してメダル検知部３３を下降位置から上昇位置に移動させる。メダル検知部３３は、初期状態が下降位置になっており、所定の契機に応じて上昇位置、下降位置との順に交互に移動する。なお、電磁ソレノイド４７等が本発明の第１、及び第２移動手段を構成する。
【００３０】
メダル検知部３３が下降位置から上昇位置に移動すると、第１、及び第２メダルセンサ３６，３７のメダル検知範囲が高さ方向において図７に示す長さＡだけ上方に移動する。これにより、不正器具６２に取り付けた受光器６３の受光範囲、及び投光器６４の投光範囲がメダル検知範囲に対してずれるため、不正器具６２を用いる不正行為を確実に防止することができる。
【００３１】
なお、ハウジング３９内には、投光器５０，５６、及び受光器５３，５８が接続されているプリント基板６５が内蔵されている。プリント基板６５には、判定部３４を構成する回路が実装されている。判定部３４は、図８に示すように、発振回路６６、増幅回路６７、投光素子駆動回路６８、タイミング発生回路６９、及び判定回路７０等から構成されている。発振回路６６は、基準発振出力を生成する。タイミング発生回路６９は、基準発振出力に基づいて駆動パルスを生成する。投光素子駆動回路６８は、その駆動パルスで第１、及び第２メダルセンサ３６，３７の投光器５０，５６に内蔵する投光素子をそれぞれ駆動する。第１、及び第２メダルセンサ３６，３７の受光器５３，５８に内蔵する受光素子は、受光した光信号を電気信号に変換する。その電気信号は、増幅回路６７により増幅されて判定回路７０に送られる。判定回路７０にはタイミング発生回路６９から駆動パルスと同じ周期の動作パルス信号が入力されており、第１、及び第２メダルセンサ３６，３７から受け取った各光信号のパルスと、動作パルス信号とがそれぞれ同期しているか否かでメダルの真正通過か否かを判定し、真正通過の場合に制御部３８に計数信号を送る。制御部３８は、計数信号をそれぞれ受けることでメダルを計数する。
【００３２】
上記実施形態では、メダル検知部３３そのものを一体的に移動しているが、本発明ではこれに限らず、例えば第１メダルセンサ３６の投光器５０、及び第２メダルセンサ３７の受光器５８を固定とし、第１メダルセンサ３６の反射板５１と受光器５３、及び第２メダルセンサ３７の反射板５７と投光器５６をそれぞれ移動させる構成にしてもよい。
【００３３】
図９に示すように、メダル検知部７３は、反射ユニット７１を持っている。反射ユニット７１には、第１、及び第２メダルセンサ３６，３７の反射板５１，５７が内蔵されている。反射ユニット７１は、投光器５０の投光軸５０ａに沿う方向（ハウジング３９のアーム５２に対してメダルの通過域上方を横切る方向）に移動自在に取り付けられている。また、第１メダルセンサ３６の受光器５３、及び第２メダルセンサ３７の投光器５６は、移動ユニット７２に内蔵されている。移動ユニット７２は、側壁４０の一部を切り欠いて作った窪み部７４に挿入されており、窪み部７４の内部で高さ方向に移動自在に取り付けられている。
【００３４】
メダル検知部７３の初期状態は、図１０に示すように、反射ユニット７１がアーム５２から突出する突出位置に移動し、かつ移動ユニット７２が窪み部７４の底面に当接する下降位置に移動した状態になっている。反射ユニット７１が突出位置に移動すると、第１、及び第２メダルセンサ３６，３７の反射板５１，５７が一緒に投光軸５０ａ上の左方に移動し、また、移動ユニット７２が下降位置に移動することで、第１メダルセンサ３６の受光器５３、及び第２メダルセンサ３７の投光器５６が一緒に下方に移動する。この第１メダルセンサ３６の受光器５３は、突出位置に移動した反射ユニット７１の反射板５１で反射した光を受光する位置にセットされる。勿論、図示していないが、第２メダルセンサ３７の反射板５７は、反射ユニット７１の移動により受光器５８の受光軸に沿って移動する。また、第２メダルセンサ３７の投光器５６は、反射ユニット７１により移動した反射板５７での反射光が受光器５８で受光することができる位置にセットされる。
【００３５】
不正行為を防止する位置に移動した状態においては、図１１に示すように、反射ユニット７１がアーム５２に対して右方に寄った退避位置に移動し、且つ移動ユニット７２が窪み部７４の上方に寄った上昇位置に移動する。これにより、第１メダルセンサ３６の受光器５３は、退避位置に移動した反射ユニット７１の反射板５１で反射した光を受光する位置にセットされる。勿論、このとき、図示していないが、第２メダルセンサ３７の投光器５６は、退避位置に移動した反射ユニット７１の反射板５７で投射光を反射してその反射光を受光器５８で受光することができる位置にセットされる。これにより、図１０で説明した初期状態と比べて、メダル検知範囲が高さ方向において図１１に示す長さＢだけずれるので、不正行為を確実に防止することができる。
【００３６】
移動機構７７は、単一の駆動源を利用して反射ユニット７１と移動ユニット７２とを連動して移動させる機構であり、図１２に示すように、反射ユニット７１を水平方向に往復移動させる第１移動機構７８と、移動ユニット７２を高さ方向に往復移動させる第２移動機構７９と、第１、及び第２移動機構（本発明の第１、及び第２移動手段）７８，７９に単一の駆動からの同期駆動をそれぞれ伝達する駆動伝達機構８０とで構成されている。駆動伝達機構８０は、モータ８１、ギヤ列８２で構成されている。
【００３７】
第１移動機構７８は、クランクレバー８３、ピストンレバー８４、スライダ８５、及び入力ギヤ８６とで構成された往復スライダクランク機構（往復スベリ子回転機構）である。モータ８１からギヤ列８２を介して入力ギヤ８６に一方向の回転が伝達されることで、入力ギヤ８６の軸に一端が連結されているクランクレバー８３の他端が回転する。クランクレバー８３の他端には、ピストンレバー８４の一端がリンクされており、他端がスライダ８５の一端にリンクされている。スライダ８５は、ガイド部材８７により水平方向に移動自在にガイドされている。クランクレバー８３の回転によりピストンレバー８４がピストン運動をしてスライダ８５が水平方向に往復移動する。スライダ８５の他端には、反射ユニット７１が固定されており、反射ユニット７１は、クランクレバー８３が半回転するごとに突出位置と退避位置との間で往復移動する。
【００３８】
第２移動機構７９は、シーソーレバー９０、クランクレバー９１、及び入力ギヤ９２とで構成されたシーソー式クランク機構である。モータ８１からギヤ列８２を介して入力ギヤ９２に一方向の回転が伝達されることで、入力ギヤ９２の軸に一端が連結されているクランクレバー９１の他端が回転する。クランクレバー９１の他端には、シーソーレバー９０の一端がリンクされており、シーソーレバー９０の他端が移動ユニット７２にリンクされている。移動ユニット７２は、ガイド部材９３により高さ方向に移動自在にガイドされている。クランクレバー９１の回転によりシーソーレバー９０が回転軸９４を中心に揺動して移動ユニット７２を高さ方向に往復移動させる。移動ユニット７２は、クランクレバー９１が半回転するごとに上昇位置と下降位置との間で往復移動する。
【００３９】
制御部３８は、契機信号を受け取ることに応答してドライバ９５に駆動信号を送ってモータ８１を一方向に回転させる。モータ８１の出力軸には、回転角検出器９６が設けられている。回転角検出器９６は、例えば羽根車とフォトセンサからなるロータリエンコーダであり、モータ８１の出力軸の回転角を検知して制御部３８に回転角信号を送る。制御部３８は、回転角信号に基づいてクランクレバー８３，９１が半回転する毎にモータ８１の駆動を停止する制御を行う。第１、及び第２移動機構７８，７９の入力ギヤ８６，９２は互いに同期して回転するため、単一の駆動源の駆動を利用して反射ユニット７１と移動ユニット７２を対応する位置にそれぞれ連係して移動させることができる。なお、移動機構７７としては、前述した機構に限らず、周知の機構を用いることもできる。
【００４０】
上記実施形態では、反射ユニット７１をスライド移動しているが回転させてもよい。この場合、移動ユニット７２は回転後の反射板５１からの反射光を受光する位置に移動させればよい。
【００４１】
また、上記各実施形態では、移動ユニット７２を高さ方向に移動させているが、図１３及び図１４に示すように、反射板５１の反射面５１ａと平行に移動させるようにしてもよい。図１３及び図１４に示す移動ユニット９７には、第１メダルセンサ３６の受光器５３と、奧側に第２メダルセンサ３７の投光器５６が内蔵されている。反射ユニット７１は、第１移動機構７８の駆動により突出位置と退避位置との間で移動する。移動ユニット９７は、第２移動機構７９の駆動により下降位置と斜め上昇位置との間で反射面５１ａと平行に移動する。これにより、メダル検知範囲が長さＣの分だけ上方向にずれる。なお、この実施形態では、第１メダルセンサ３６の受光器用のスリット９８，９９が、ハウジング３９のうちの移動ユニット９７が移動する下降位置と斜め上昇位置とにそれぞれ対応する位置に形成されている。勿論、第２メダルセンサ３７の投光器用スリットも移動ユニット９７が移動する下降位置と斜め上昇位置とにそれぞれ対応する位置に形成されている。
【００４２】
図１０ないし図１４で説明した実施形態では、反射板５１，５７に加えて第１メダルセンサ３６の受光器５３、及び第２メダルセンサ３７の投光器５６も一緒に移動させているが、反射板５１，５７のみを移動させるように構成してもよい。この場合には、図１５に示すように、第１メダルセンサ３６の受光器１００，１０１を２つ設ける。反射ユニット７１は、第１移動機構７８の駆動により突出位置と退避位置との間で移動する。第１受光器１００は、突出位置にある反射ユニット７１の反射板５１からの反射光を受光する。第２受光器１０１は、退避位置にある反射ユニット７１の反射板５１からの反射光を受ける。勿論、第２メダルセンサ３７の投光器５６も二つ設けられている。
【００４３】
図１５で説明した実施形態では、反射板５１，５７を水平方向にスライドさせているが、反射板５１，５７を回転させるように構成してもよい。この場合には、図１６に示すように、第１、及び第２メダルセンサ３６，３７の反射板５１，５７は、ハウジング３９から突出したアーム５２の先端内部に、軸１０３中心に回転自在に取り付けられ、一緒に回転する。この回転は、回転機構１０４から伝達される駆動により行われる。回転機構１０４は、第１メダルセンサ３６の反射板５１を、反射光が第１受光器１００に受光する第１回転位置と、反射光を第２受光器１０１が受光する第２回転位置との間で回転させる。勿論、第２メダルセンサ３７の反射板５７は、第１回転位置では第１投光器からの投射光を受光器５８に受光させる位置に、また、第２回転位置では第２メダルセンサ３７の反射板５７が第２投光器からの投射光を受光器５８に受光させる位置にそれぞれ回転する。
【００４４】
図１３ないし図１６で説明した各実施形態の第１メダルセンサでは、２つの受光器を設けているが、代わりに１つのエリアセンサを用いても良い。エリアセンサとしては、位置検出素子(PSD)、１又は２次元イメージセンサ等を用いることができる。このようなエリアセンサを用いると、受光位置を択一的に選択することが可能であるので、可動の反射板で複数の光路に向けて反射する光を全て受光することができる。
【００４５】
上記各実施形態のメダル検出部では、少なくとも第１、及び第２メダルセンサの２つの反射板を一緒に移動してメダル検知範囲をずらしているが、第１、及び第２メダルセンサのうちの何れか一方の反射板のみを移動する構成にして、一方のみのメダル検知範囲をずらす構成にしてもよい。また、メダル検出部としては、２つの第１、及び第２メダルセンサのうちの一方を省略して、他方のみだけの構成としてもよい。
【００４６】
また、上記各実施形態では、メダル検知範囲を二位置でずらしているが、本発明ではずらす位置を二位置に限らず、移動可能な範囲内の３位置以上としてもよい。
【産業上の利用可能性】
【００４７】
本発明のメダル検知装置は、スロットマシンのみに限定して使用されるものではなく、パチンコ機等の遊技機にも使用することができる。
【符号の説明】
【００４８】
１０  スロットマシン
３１  メダル
２８ｂ  傾斜通路
３３  メダル検知部
５０，５６  投光器
５１，５７  反射板
５３，５８，９７，１００，１０１  受光器
【図１】
2010220721.tif 000003
【図２】
2010220721.tif 000004
【図３】
2010220721.tif 000005
【図４】
2010220721.tif 000006
【図５】
2010220721.tif 000007
【図６】
2010220721.tif 000008
【図７】
2010220721.tif 000009
【図８】
2010220721.tif 000010
【図９】
2010220721.tif 000011
【図１０】
2010220721.tif 000012
【図１１】
2010220721.tif 000013
【図１２】
2010220721.tif 000014
【図１３】
2010220721.tif 000015
【図１４】
2010220721.tif 000016
【図１５】
2010220721.tif 000017
【図１６】
2010220721.tif 000018